(57)【特許請求の範囲】
【請求項１】
画素がマトリクス状に配置された表示部の画面の各ラインを、各々のラインにおける画素の走査信号線に走査信号を印加することにより選択して上記画面を走査し、選択されたラインの画素にデータ信号線からデータ信号を供給して表示を行う表示装置において、
上記画面を走査する走査期間と走査期間との間に、全走査信号線を非走査状態とする休止期間を設け、この休止期間に、上記表示部を駆動するための駆動回路の駆動を停止させる駆動制御回路と、
データ信号を上記データ信号線に取り込むために使用されるクロック信号を生成するクロック信号生成回路とを備え、
さらに、上記駆動回路の上記表示部への駆動信号の出力タイミングに使用される出力タイミングクロックを生成する出力タイミングクロック生成回路と、
上記駆動回路の走査スタートタイミングに使用されるスタートタイミングクロックを生成するスタートタイミングクロック生成回路とが設けられ、
上記出力タイミングクロック生成回路は自ら発振して上記出力タイミングクロックを生成し、上記スタートタイミングクロック生成回路は、上記出力タイミングクロック生成回路にて生成された上記出力タイミングクロックに基づいて上記スタートタイミングクロックを生成し、
上記駆動制御回路は、上記スタートタイミングクロック生成回路にて生成されたスタートタイミングクロックから、上記走査期間がハイレベルとなり、上記休止期間がローレベルとなる駆動制御信号を生成し、この駆動制御信号を上記駆動回路の他に、上記クロック信号生成回路に供給すると共に、
上記駆動回路及び上記クロック信号生成回路は、供給された上記駆動制御信号がローレベルのときに停止状態となり、供給された上記駆動制御信号がハイレベルのときに駆動状態となることを特徴とする表示装置。
【請求項２】
画素がマトリクス状に配置された表示部の画面の各ラインを、各々のラインにおける画素の走査信号線に走査信号を印加することにより選択して上記画面を走査し、選択されたラインの画素にデータ信号線からデータ信号を供給して表示を行う表示装置において、
上記画面を走査する走査期間と走査期間との間に、全走査信号線を非走査状態とする休止期間を設け、この休止期間に、上記表示部を駆動するための駆動回路の駆動を停止させる駆動制御回路と、
データ信号を上記データ信号線に取り込むために使用されるクロック信号を生成するクロック信号生成回路とを備え、
さらに、上記駆動回路の上記表示部への駆動信号の出力タイミングに使用される出力タイミングクロックを生成する出力タイミングクロック生成回路と、
上記駆動回路の走査スタートタイミングに使用されるスタートタイミングクロックを生成するスタートタイミングクロック生成回路とが設けられ、
上記スタートタイミングクロック生成回路は自ら発振して上記スタートタイミングクロックを生成し、上記出力タイミングクロック生成回路は、上記スタートタイミングクロック生成回路にて生成された上記スタートタイミングクロックに基づいて上記出力タイミングクロックを生成し、
上記駆動制御回路は、上記スタートタイミングクロック生成回路にて生成されたスタートタイミングクロックから、上記走査期間がハイレベルとなり、上記休止期間がローレベルとなる駆動制御信号を生成し、この駆動制御信号を上記駆動回路の他に、上記クロック信号生成回路及び上記出力タイミングクロック生成回路に供給すると共に、
上記駆動回路及び上記クロック信号生成回路は、供給された上記駆動制御信号がローレベルのときに停止状態となり、供給された上記駆動制御信号がハイレベルのときに駆動状態となることを特徴とする表示装置。
【請求項３】
上記クロック信号生成回路は、上記出力タイミングクロック生成回路にて生成された出力タイミングクロックに基づいて上記クロック信号を生成することを特徴とする請求項１に記載の表示装置。
【請求項４】
上記クロック信号生成回路は、上記出力タイミングクロック生成回路にて生成された出力タイミングクロックに基づいて上記クロック信号を生成することを特徴とする請求項２に記載の表示装置。
【請求項５】
上記出力タイミングクロック生成回路は、供給された上記駆動制御信号がローレベルのときに停止状態となり、供給された上記駆動制御信号がハイレベルのときに駆動状態となることを特徴とする請求項２または４に記載の表示装置。
【請求項６】
上記クロック信号生成回路は、自らが発振して上記クロック信号を生成することを特徴とする請求項１に記載の表示装置。
【請求項７】
画素がマトリクス状に配置された表示部の画面の各ラインを、各々のラインにおける画素の走査信号線に走査信号を印加することにより選択して上記画面を走査し、選択されたラインの画素にデータ信号線からデータ信号を供給して表示を行う表示装置であって、
上記画面を走査する走査期間と走査期間との間に、全走査信号線を非走査状態とする休止期間を設け、この休止期間に、上記表示部を駆動するための駆動回路の駆動を停止させる駆動制御回路と、
データ信号を上記データ信号線に取り込むために使用されるクロック信号を生成するクロック信号生成回路と、
さらに、上記駆動回路の上記表示部への駆動信号の出力タイミングに使用される出力タイミングクロックを生成する出力タイミングクロック生成回路と、
上記駆動回路の走査スタートタイミングに使用されるスタートタイミングクロックを生成するスタートタイミングクロック生成回路とが設けられた表示装置の駆動方法において、
上記出力タイミングクロック生成回路は自ら発振して上記出力タイミングクロックを生成する第１のステップと、
上記スタートタイミングクロック生成回路は、上記第１のステップにおいて、上記出力タイミングクロック生成回路にて生成された上記出力タイミングクロックに基づいて上記スタートタイミングクロックを生成する第２のステップと、
上記駆動制御回路は、上記第２のステップにおいて、上記スタートタイミングクロック生成回路にて生成されたスタートタイミングクロックから、上記走査期間がハイレベルとなり、上記休止期間がローレベルとなる駆動制御信号を生成し、この駆動制御信号を上記駆動回路の他に、上記クロック信号生成回路に供給するとき、
上記駆動回路及び上記クロック信号生成回路を、供給された上記駆動制御信号がローレベルのときに停止状態とし、供給された上記駆動制御信号がハイレベルのときに駆動状態とする第３のステップとを含むことを特徴とする表示装置の駆動方法。
【請求項８】
画素がマトリクス状に配置された表示部の画面の各ラインを、各々のラインにおける画素の走査信号線に走査信号を印加することにより選択して上記画面を走査し、選択されたラインの画素にデータ信号線からデータ信号を供給して表示を行う表示装置であって、
上記画面を走査する走査期間と走査期間との間に、全走査信号線を非走査状態とする休止期間を設け、この休止期間に、上記表示部を駆動するための駆動回路の駆動を停止させる駆動制御回路と、
データ信号を上記データ信号線に取り込むために使用されるクロック信号を生成するクロック信号生成回路と、
さらに、上記駆動回路の上記表示部への駆動信号の出力タイミングに使用される出力タイミングクロックを生成する出力タイミングクロック生成回路と、
上記駆動回路の走査スタートタイミングに使用されるスタートタイミングクロックを生成するスタートタイミングクロック生成回路とが設けられた表示装置の駆動方法において、
上記スタートタイミングクロック生成回路は自ら発振して上記スタートタイミングクロックを生成する第１のステップと、
上記出力タイミングクロック生成回路は、上記第１のステップにおいて、上記スタートタイミングクロック生成回路にて生成された上記スタートタイミングクロックに基づいて上記出力タイミングクロックを生成する第２のステップと、
上記駆動制御回路は、上記第２のステップにおいて、上記スタートタイミングクロック生成回路にて生成されたスタートタイミングクロックから、上記走査期間がハイレベルとなり、上記休止期間がローレベルとなる駆動制御信号を生成し、この駆動制御信号を上記駆動回路の他に、上記クロック信号生成回路及び上記出力タイミングクロック生成回路に供給するとき、
上記駆動回路及び上記クロック信号生成回路を、供給された上記駆動制御信号がローレベルのときに停止状態とし、供給された上記駆動制御信号がハイレベルのときに駆動状態とする第３のステップとを含むことを特徴とする表示装置の駆動方法。
【発明の詳細な説明】
【技術分野】
【０００１】
本発明は、画素がマトリクス状に配置された表示部の画面の各ラインを、各々のラインにおける画素の走査信号線に走査信号を印加することにより選択して上記画面を走査し、選択されたラインの画素にデータ信号線からデータ信号を供給して表示を行う表示装置およびその駆動方法に関する。
【背景技術】
【０００２】
従来、アクティブマトリクス型の表示装置は、例えば図１０に示すように、マトリクス状に配された画素を有するアクティブマトリクスパネル１０１と、該アクティブマトリクスパネル１０１内のデータ信号線（図示せず）を駆動する信号線駆動回路１０２と、該アクティブマトリクスパネル１０１内の走査線（図示せず）を駆動する走査線駆動回路１０３と、上記信号線駆動回路１０２に転送するデジタル映像信号を格納するフレームメモリ１０４と、上記信号線駆動回路１０２にてデジタル映像信号をアナログ信号に変換するための信号（レベル電圧）を生成するアナログ回路１０５とを備えている。
【０００３】
上記表示装置は、さらに、ドットクロック発振回路（ＤＣＫ発振回路）１０６、Ｈカウンタ１０７、Ｖカウンタ１０８を備えている。
【０００４】
上記ＤＣＫ発振回路１０６は、フレームメモリ１０４に格納されたデジタル映像信号を信号線駆動回路１０２にフレーム単位で転送させるためのドットクロックを発振する回路である。このＤＣＫ発振回路１０６から発振されたドットクロックは、信号線駆動回路１０２に供給され、映像信号のサンプリングクロックとして使用される。
【０００５】
また、上記ＤＣＫ発振回路１０６から発振されたドットクロックは、Ｈカウンタ１０７にも供給される。該Ｈカウンタ１０７は、供給されたドットクロックに基づいて水平同期系信号を生成し、信号線駆動回路１０２及び走査線駆動回路１０３に供給するようになっている。
【０００６】
上記水平同期系信号は、信号線駆動回路１０２において、映像信号のアクティブマトリクスパネル１０１への出力タイミング信号として使用され、走査線駆動回路１０３において、走査信号のアクティブマトリクスパネル１０１への出力タイミング信号として使用される。
【０００７】
また、上記Ｈカウンタ１０７で生成された水平同期系信号は、Ｖカウンタ１０８に供給される。このＶカウンタ１０８では、上記水平同期系信号から垂直同期系信号生成し、走査線駆動回路１０３に供給し、走査線の走査スタートのタイミングを制御するタイミング信号として使用される。
【０００８】
上記構成の表示装置において、ＤＣＫ発振回路１０６にて発振されるドットクロック（ＤＣＫ）と、Ｈカウンタ１０７にて生成される水平同期系信号(Ｈsync)と、Ｖカウンタ１０８にて生成される垂直同期系信号(Ｖsync)との信号波形は、図１１に示すようになる。
【０００９】
なお、ＤＣＫは、他の信号（Ｈsync、Ｖsync）に比べて高速であるので、図１１に示す波形図では、周期が詰まった状態（黒塗り）の状態で示している。
【００１０】
上記構成の表示装置は、図１４（ａ）に示すようなタイミングでアクティブマトリクスパネル１０１内の走査信号線を駆動している。つまり、走査信号線Ｇ（０），Ｇ（１），Ｇ（２），Ｇ（３），…と順次、オン電圧を印加して各走査信号線に接続されたＴＦＴをオンさせて表示を行う。ここで、何れかの走査線がオンしている期間を走査期間と称する。また、走査期間と走査期間との間には、帰線期間が存在する。
【００１１】
ところで、アクティブマトリクスパネル１０１がホールド型表示素子として、例えばＴＦＴ液晶パネルである場合、図１４（ｂ）に示すように、走査期間と走査期間との間に液晶が電荷を保持している期間を設けることができる。この期間では、液晶は電荷を保持した状態であり、該液晶に電圧を印加する必要がない状態であるので、アクティブマトリクスパネル１０１を駆動するための駆動系回路を停止させることができる。したがって、この期間を休止期間と称する。
【００１２】
上記のような駆動方法を実現する表示装置としては、例えば図１２に示すように、駆動系回路としての、信号線駆動回路１０２、走査線駆動回路１０３、アナログ回路１０５の動作を停止させる休止制御回路１０９を設けた表示装置が考えられる。
【００１３】
上記休止制御回路１０９は、Ｖカウンタ１０８で生成される垂直同期系信号から、図１３に示すようなスキャン信号（Ｓcan信号）を生成し、このＳcan信号を信号線駆動回路１０２、走査線駆動回路１０３、アナログ回路１０５に供給する。
【００１４】
上記Ｓcan信号は、走査期間はハイレベルとなり、休止期間はローレベルとなる２値の信号である。したがって、信号線駆動回路１０２、走査線駆動回路１０３、アナログ回路１０５は、供給されたＳcan信号がハイレベルのとき作動し、ローレベルのとき停止するようにすれば、休止期間における消費電力を低減できる。このような技術は、特許文献１に開示されている。
【００１５】
ここで、図１４（ａ）に示す表示装置の駆動方法と、図１４（ｂ）に示す表示装置の駆動方法との消費電力について、図１５（ａ）（ｂ）を参照しながら以下に説明する。
【００１６】
図１５（ａ）は、図１４（ａ）に示す表示装置の駆動方法における消費電力を示し、図１５（ｂ）は、図１４（ｂ）に示す表示装置の駆動方法における消費電力を示している。
【００１７】
図１４（ａ）に示す表示装置の駆動方法では、表示装置内の回路が常に動作していることになるので、図１５（ａ）に示すように、１フレーム期間の消費電力がそのまま表示装置の平均消費電力となる。この場合、１フレーム期間で消費する電力を１０ｍＷとする。
【００１８】
これに対して、図１４（ｂ）に示す表示装置の駆動方法では、表示装置内の回路のうち、信号線駆動回路１０２、走査線駆動回路１０３、アナログ回路１０５が非リフレッシュ期間（休止期間）に停止するように制御されているので、図１５（ｂ）に示すように、リフレッシュ期間（走査期間）の消費電力が高く、非リフレッシュ期間の消費電力が低くなり、表示装置の平均消費電力を下げることがきる。
【先行技術文献】
【特許文献】
【００１９】
【特許文献１】特開２００１−３１２２５３号公報（２００１年１１月９日公開）
【発明の概要】
【発明が解決しようとする課題】
【００２０】
ところで、図１２に示す表示装置では、走査フレームと非走査フレームとを決定するのに必要な信号（水平同期系信号、垂直同期系信号）をＤＣＫ発振回路１０６からのドットクロックに基づいて生成するようになっているので、非リフレッシュ期間であっても、上記ＤＣＫ発振回路１０６は駆動している。
【００２１】
しかも、上記ＤＣＫ発振回路１０６は、リフレッシュ期間において使用される書き込みタイミング等の決めるタイミングクロック等の高速なクロックを生成するのに使用されているため、消費電力が大きい。
【００２２】
したがって、図１４（ｂ）に示す表示装置の駆動方法を採用することにより、休止期間の消費電力を下げて、平均消費電力を低減するようにしているが、他の駆動系回路（信号線駆動回路１０２、走査線駆動回路１０３、アナログ回路１０５）よりも高速で駆動するＤＣＫ発振回路１０６が非リフレッシュ期間に駆動しているので、非リフレッシュ期間での大幅な消費電力の低減を図ることができないという問題が生じる。
【００２３】
例えば、ＤＣＫ発振回路１０６が５００ｋＨｚで動作している場合、図１６に示すグラフから、消費電力は約２ｍＷとなる。つまり、図１５（ｂ）に示す非リフレッシュ期間の平均消費電力を２ｍＷと近似できる。
【００２４】
ここで、リフレッシュ期間の消費電力を１０ｍＷとし、リフレッシュ期間と非リフレッシュ期間の比率が１：９とした場合、平均消費電力は、（１０ｍＷ×１＋２ｍＷ×９）／１０＝２．８ｍＷとなる。
【００２５】
上記非リフレッシュ期間の比率を上げれば、平均消費電力を下げることができが、非リフレッシュ期間の消費電力の２ｍＷに限りなく近づくだけで、これ以上の消費電力の低減を図ることができない、つまり、非リフレッシュ期間において動作する回路で消費される電力よりも消費電力を低減できないという問題が生じる。
【００２６】
本発明は、上記の問題点に鑑みなされたものであって、その目的は、非リフレッシュ期間に消費電力の大きい回路を停止させることで、リフレッシュ期間と非リフレッシュ期間とにおける平均消費電力を大幅に低減できる表示装置およびその駆動方法を提供することにある。
【課題を解決するための手段】
【００２７】
本発明の表示装置は、上記の課題を解決するために、画素がマトリクス状に配置された表示部の画面の各ラインを、各々のラインにおける画素の走査信号線に走査信号を印加することにより選択して上記画面を走査し、選択されたラインの画素にデータ信号線からデータ信号を供給して表示を行う表示装置において、上記画面を走査する走査期間と走査期間との間に、全走査信号線を非走査状態とする休止期間を設け、この休止期間に、上記表示部を駆動するための駆動回路の駆動を停止させる駆動制御回路と、データ信号を上記データ信号線に取り込むために使用されるクロック信号を生成するクロック信号生成回路とを備え、さらに、上記駆動回路の上記表示部への駆動信号の出力タイミングに使用される出力タイミングクロックを生成する出力タイミングクロック生成回路と、上記駆動回路の走査スタートタイミングに使用されるスタートタイミングクロックを生成するスタートタイミングクロック生成回路とが設けられ、上記出力タイミングクロック生成回路及び上記スタートタイミングクロック生成回路のうち、いずれか一方の回路は自ら発信して上記出力タイミングクロック信号又は上記スタートタイミングクロック信号を生成し、他方の回路は、上記一方の回路にて生成された上記出力タイミングクロック信号又は上記スタートタイミングクロック信号に基づいて上記スタートタイミングクロック信号又は上記出力タイミングクロック信号を生成し、上記駆動制御回路は、上記スタートタイミングクロック生成回路にて生成されたスタートタイミングクロックから、上記走査期間がハイレベルとなり、上記休止期間がローレベルとなる駆動制御信号を生成し、この駆動制御信号を上記駆動回路の他に、上記クロック信号生成回路に供給すると共に、上記駆動回路及び上記クロック信号生成回路は、供給された上記駆動制御信号がローレベルのときに停止状態となり、供給された上記駆動制御信号がハイレベルのときに駆動状態となることを特徴としている。
【００２８】
上記の構成によれば、非リフレッシュ期間に消費電力の大きい回路を停止させることで、リフレッシュ期間と非リフレッシュ期間とにおける平均消費電力を大幅に低減できる。
【００２９】
上記クロック信号生成回路は、上記出力タイミングクロック生成回路にて生成された出力タイミングクロックに基づいて上記クロック信号を生成することが好ましい。
【００３０】
また、上記一方の回路は上記出力タイミングクロック生成回路であり、上記他方の回路は上記スタートタイミングクロック生成回路であることが好ましい。
【００３１】
さらに、上記一方の回路は上記スタートタイミングクロック生成回路であり、上記他方の回路は上記出力タイミングクロック生成回路であることが好ましい。
【００３２】
また、上記駆動制御回路は、上記駆動制御信号を上記出力タイミングクロック生成回路に供給すると共に、上記出力タイミングクロック生成回路は、供給された上記駆動制御信号がローレベルのときに停止状態となり、供給された上記駆動制御信号がハイレベルのときに駆動状態となることが好ましい。
【００３３】
また、上記クロック信号生成回路は、自らが発信して上記クロック信号を生成することが好ましい。
【００３４】
さらに、上記一方の回路は上記出力タイミングクロック生成回路であり、上記他方の回路は上記スタートタイミングクロック生成回路であることが好ましい。
【００３５】
本発明の表示装置の駆動方法は、上記の課題を解決するために、画素がマトリクス状に配置された表示部の画面の各ラインを、各々のラインにおける画素の走査信号線に走査信号を印加することにより選択して上記画面を走査し、選択されたラインの画素にデータ信号線からデータ信号を供給して表示を行う表示装置であって、上記画面を走査する走査期間と走査期間との間に、全走査信号線を非走査状態とする休止期間を設け、この休止期間に、上記表示部を駆動するための駆動回路の駆動を停止させる駆動制御回路と、データ信号を上記データ信号線に取り込むために使用されるクロック信号を生成するクロック信号生成回路と、さらに、上記駆動回路の上記表示部への駆動信号の出力タイミングに使用される出力タイミングクロックを生成する出力タイミングクロック生成回路と、上記駆動回路の走査スタートタイミングに使用されるスタートタイミングクロックを生成するスタートタイミングクロック生成回路とが設けられた表示装置の駆動方法において、上記出力タイミングクロック生成回路及び上記スタートタイミングクロック生成回路のうち、いずれか一方の回路は自ら発信して上記出力タイミングクロック信号又は上記スタートタイミングクロック信号を生成し、他方の回路は、上記一方の回路にて生成された上記出力タイミングクロック信号又は上記スタートタイミングクロック信号に基づいて上記スタートタイミングクロック信号又は上記出力タイミングクロック信号を生成し、上記駆動制御回路は、上記スタートタイミングクロック生成回路にて生成されたスタートタイミングクロックから、上記走査期間がハイレベルとなり、上記休止期間がローレベルとなる駆動制御信号を生成し、この駆動制御信号を上記駆動回路の他に、上記クロック信号生成回路に供給するとき、上記駆動回路及び上記クロック信号生成回路を、供給された上記駆動制御信号がローレベルのときに停止状態とし、供給された上記駆動制御信号がハイレベルのときに駆動状態とするステップを含むことを特徴としている。
【００３６】
上記の構成によれば、非リフレッシュ期間に消費電力の大きい回路を停止させることで、リフレッシュ期間と非リフレッシュ期間とにおける平均消費電力を大幅に低減できる。
【発明の効果】
【００３７】
本発明の表示装置は、以上のように、画素がマトリクス状に配置された表示部の画面の各ラインを、各々のラインにおける画素の走査信号線に走査信号を印加することにより選択して上記画面を走査し、選択されたラインの画素にデータ信号線からデータ信号を供給して表示を行う表示装置において、上記画面を走査する走査期間と走査期間との間に、全走査信号線を非走査状態とする休止期間を設け、この休止期間に、上記表示部を駆動するための駆動回路の駆動を停止させる駆動制御回路と、データ信号を上記データ信号線に取り込むために使用されるクロック信号を生成するクロック信号生成回路とを備え、さらに、上記駆動回路の上記表示部への駆動信号の出力タイミングに使用される出力タイミングクロックを生成する出力タイミングクロック生成回路と、上記駆動回路の走査スタートタイミングに使用されるスタートタイミングクロックを生成するスタートタイミングクロック生成回路とが設けられ、上記出力タイミングクロック生成回路及び上記スタートタイミングクロック生成回路のうち、いずれか一方の回路は自ら発信して上記出力タイミングクロック信号又は上記スタートタイミングクロック信号を生成し、他方の回路は、上記一方の回路にて生成された上記出力タイミングクロック信号又は上記スタートタイミングクロック信号に基づいて上記スタートタイミングクロック信号又は上記出力タイミングクロック信号を生成し、上記駆動制御回路は、上記スタートタイミングクロック生成回路にて生成されたスタートタイミングクロックから、上記走査期間がハイレベルとなり、上記休止期間がローレベルとなる駆動制御信号を生成し、この駆動制御信号を上記駆動回路の他に、上記クロック信号生成回路に供給すると共に、上記駆動回路及び上記クロック信号生成回路は、供給された上記駆動制御信号がローレベルのときに停止状態となり、供給された上記駆動制御信号がハイレベルのときに駆動状態となる構成である。
【００３８】
上記の構成によれば、非リフレッシュ期間に消費電力の大きい回路を停止させることで、リフレッシュ期間と非リフレッシュ期間とにおける平均消費電力を大幅に低減できるという効果を奏する。
【図面の簡単な説明】
【００３９】
【図１】本発明の一実施の形態にかかる表示装置のブロック図である。
【図２】図１に示す表示装置のドットクロックと水平同期信号、垂直同期信号、駆動制御信号の波形図である。
【図３】（ａ）は従来の休止駆動法を適用した表示装置の消費電力を示す図であり、（ｂ）は図１に示す表示装置の消費電力を示す図である。
【図４】本発明の他の実施の形態にかかる表示装置のブロック図である。
【図５】図４に示す表示装置のドットクロックと水平同期信号、垂直同期信号、駆動制御信号の波形図である。
【図６】本発明のさらに他の実施の形態にかかる表示装置のブロック図である。
【図７】図６に示す表示装置のドットクロックと水平同期信号、垂直同期信号、駆動制御信号の波形図である。
【図８】本発明のさらに他の実施の形態にかかる表示装置のブロック図である。
【図９】図８に示す表示装置のドットクロックと水平同期信号、垂直同期信号、駆動制御信号の波形図である。
【図１０】一般的な表示装置のブロック図である。
【図１１】図１０に示す表示装置のドットクロックと水平同期信号、垂直同期信号の波形図である。
【図１２】他の一般的な表示装置のブロック図である。
【図１３】図１２に示す表示装置のドットクロックと水平同期信号、垂直同期信号、駆動制御信号の波形図である。
【図１４】（ａ）は、図１０に示す表示装置の駆動波形図であり、（ｂ）は、図１２に示す表示装置の駆動波形図である。
【図１５】（ａ）は、図１０に示す表示装置の消費電力を示す図であり、（ｂ）は、図１２に示す表示装置の消費電力を示す図である。
【図１６】発振周波数と消費電力との関係を示すグラフである。
【発明を実施するための形態】
【００４０】
〔実施の形態１〕
本発明の一実施の形態について説明すれば、以下の通りである。ここでは、表示装置として、画素がマトリクス状に配置されてなる画面の各ラインを、各々のラインにおける画素の走査信号線に走査信号を印加することにより選択して上記画面を走査し、選択されたラインの画素にデータ信号線からデータ信号を供給して表示を行うアクティブマトリクス型の表示装置を使用し、駆動方法としては、上記画面を走査する走査期間の間に、全走査信号線を非走査状態とする休止期間を設けた休止駆動方法を適用した例について説明する。
【００４１】
本実施の形態にかかる表示装置は、図１に示すように、マトリクス状に配された液晶表示素子からなる画素を有するアクティブマトリクスパネル１と、該アクティブマトリクスパネル１内のデータ信号線（図示せず）を駆動する信号線駆動回路２と、該アクティブマトリクスパネル１内の走査線（図示せず）を駆動する走査線駆動回路３と、上記信号線駆動回路２に転送するデジタル映像信号を格納するフレームメモリ４と、上記信号線駆動回路２にてデジタル映像信号をアナログ信号に変換するための信号（レベル電圧）を生成するアナログ回路５とを備えている。
【００４２】
上記信号線駆動回路２、走査線駆動回路３、アナログ回路５は、表示部であるアクティブマトリクスパネル１を駆動するための駆動回路である。
【００４３】
上記表示装置は、さらに、ドットクロック発振回路としてのＤＣＫ−ＰＬＬ回路（クロック信号生成回路）６、水平同期発振回路（出力タイミングクロック生成回路）７、Ｖカウンタ（スタートタイミングクロック生成回路）８、休止制御回路（駆動制御回路）９を備えている。
【００４４】
上記ＤＣＫ−ＰＬＬ回路６は、上記水平同期発振回路７から供給される水平同期系信号により内部のＰＬＬ回路にて高速化されたドットクロック（クロック信号）を上記信号線駆動回路２およびフレームメモリ４に転送するようになっている。
【００４５】
フレームメモリ４に転送されたドットクロックは、該フレームメモリ４に格納されたデジタル映像信号を信号線駆動回路２にフレーム単位で転送させるためのタイミングクロックとして使用され、信号線駆動回路２に転送されたドットクロックは、フレームメモリ４から転送された映像信号をデータ信号線に取り込むためのサンプリングクロックとして使用される。
【００４６】
上記水平同期発振回路７は、自ら発振し水平同期系信号を生成するようになっており、生成した水平同期系信号（出力タイミングクロック）を、上述のように、ＤＣＫ−ＰＬＬ回路６に供給する他、信号線駆動回路２と走査線駆動回路３とに供給するようになっている。
【００４７】
上記水平同期発振回路７からの水平同期系信号は、上記信号線駆動回路２において、映像信号のアクティブマトリクスパネル１への出力タイミング信号として使用され、上記走査線駆動回路３において、走査信号のアクティブマトリクスパネル１への出力タイミング信号として使用される。
【００４８】
また、上記水平同期発振回路７からの水平同期系信号は、Ｖカウンタ８に供給される。このＶカウンタ８では、上記水平同期系信号から垂直同期系信号（スタートタイミングクロック）を生成し、走査線駆動回路３に供給し、走査線の走査スタートのタイミングを制御するタイミング信号として使用される。なお、上記Ｖカウンタ８にて生成された垂直同期系信号は、休止制御回路９にも供給される。
【００４９】
上記休止制御回路９は、信号線駆動回路２、走査線駆動回路３、アナログ回路５からなる駆動回路と、これら駆動回路の駆動タイミングのためのドットクロックを生成するＤＣＫ−ＰＬＬ回路６との駆動停止を制御する駆動制御回路である。
【００５０】
ここで、休止制御回路９は、垂直同期系信号から、走査期間（リフレッシュ期間）がハイレベルとなり、非走査期間（非リフレッシュ期間）がローレベルとなる駆動制御信号を生成し、信号線駆動回路２、走査線駆動回路３、アナログ回路５の駆動回路と、上記ＤＣＫ−ＰＬＬ回路６との駆動停止の制御を行うようになっている。
【００５１】
つまり、信号線駆動回路２、走査線駆動回路３、アナログ回路５の駆動回路と、ＤＣＫ−ＰＬＬ回路６とは、駆動制御信号がハイレベルのとき駆動し、駆動制御信号がローレベルのとき停止するように制御されることになる。
【００５２】
したがって、上記構成の表示装置によれば、図２に示すように、ＤＣＫ−ＰＬＬ回路６で生成されるドットクロックＤＣＫは、休止制御回路９で生成される駆動制御信号Ｓcanがハイレベルのときのみ生成される。図２は、ＤＣＫ−ＰＬＬ回路６にて生成されるドットクロックＤＣＫの波形（図では高速なので各波が繋がっているように記載している）と、信号線駆動回路２に供給される水平同期系信号から得られる水平同期信号Ｈsyncの波形と、走査線駆動回路３に供給される垂直同期系信号から得られる垂直同期信号Ｖsyncの波形と、休止制御回路９で生成される駆動制御信号の波形とを示している。
【００５３】
図２に示すように、非走査期間である非リフレッシュ期間では、消費電力の高い高速駆動のＤＣＫ−ＰＬＬ回路６を停止させることができるので、走査期間と非走査期間とにおける平均消費電力を大幅に低減できる。
【００５４】
続いて、上記構成の表示装置の消費電力と従来の休止駆動方法にて駆動される表示装置（図１２に示す表示装置）の消費電力との比較について、図３（ａ）（ｂ）を参照しながら以下に説明する。図３（ａ）は、従来の表示装置の消費電力を示す図であり、図３（ｂ）は、上記構成の表示装置の消費電力を示す図である。
【００５５】
ここで、走査期間と走査期間との間には、走査期間の９倍の期間の非走査期間が設けられ、走査期間（リフレッシュ期間）では、１０ｍＷの電力が消費されるものとする。また、ＤＣＫ−ＰＬＬ回路６とＤＣＫ発振回路１０６とは、共に発振周波数を５００Ｈｚとし、その消費電力を図１６から約２ｍＷとする。
【００５６】
従来の休止駆動方法にて駆動される表示装置では、図１２に示すように、ＤＣＫ発振回路１０６は、Ｈカウンタ１０７、Ｖカウンタ１０８にドットクロックを供給しているので、非走査期間（非リフレッシュ期間）であっても駆動し続ける必要がある。それゆえ、図３（ａ）に示すように、非リフレッシュ期間の平均消費電力が２ｍＷに近似され、リフレッシュ期間と非リフレッシュ期間の平均消費電力は、（１０ｍＷ×１＋２ｍＷ×９）／（１＋９）＝２．８ｍＷとなる。
【００５７】
この場合、非リフレッシュ期間を長くしても、ＤＣＫ発振回路１０６の消費電力である２ｍＷに限りなく近づくだけであり、平均消費電力は２ｍＷよりも小さくすることはできない。
【００５８】
これに対して、本実施の形態にかかる表示装置では、図１に示すように、ＤＣＫ−ＰＬＬ回路６は、フレームメモリ４、信号線駆動回路２にのみドットクロックを供給するようになっており、水平同期系信号と垂直同期系信号とを生成する回路（水平同期発振回路７、Ｖカウンタ８）に対してドットクロックを供給していない。
【００５９】
従って、図１に示す表示装置では、非リフレッシュ期間において消費電力の大きなＤＣＫ−ＰＬＬ回路６によるドットクロックの発振を停止させるようになっているので、従来の表示装置に比べて、リフレッシュ期間と非リフレッシュ期間とにおける平均消費電力を大幅に低減できる。
【００６０】
非リフレッシュ期間において、ＤＣＫ−ＰＬＬ回路６が停止した場合、他の回路等で消費される電力が約０．５ｍＷとなる。この場合、リフレッシュ期間と非リフレッシュ期間の平均消費電力は、（１０ｍＷ×１＋０．５ｍＷ×９）／（１＋９）≒１．５ｍＷとなる。この場合には、非リフレッシュ期間の割合を多くすれば、リフレッシュ期間と非リフレッシュ期間とにおける平均消費電力を０．５ｍＷに限りなく近づけることができる。
【００６１】
このように、非リフレッシュ期間における消費電力を抑えることにより、例えば、図１に示す表示装置を携帯電話に適用した場合に、待機時間を長くすることができる。つまり、非リフレッシュ期間を携帯電話における待機時とすれば、待機時の電力を低減できるので、待機時間を長くすることができる。例えば、携帯電話においては、待機時の電力として、０．５ｍＷ以下にすることが望まれているが、本願では、０．５ｍＷ以下にすることが可能となる。しかも、上述のように、非リフレッシュ期間の割合を多くすれば、リフレッシュ期間と非リフレッシュ期間とにおける平均消費電力を０．５ｍＷ以下に近づけることが可能となるので、携帯電話の待機時の消費電力と通話時の消費電力とを合わせて平均化した消費電力を大幅に低減でき、この結果、携帯電話のバッテリーの充電回数を減らすことができる。
【００６２】
本実施の形態のように、ドットクロックを発振する高速の回路（消費電力大の回路）と、水平同期系信号および垂直同期系信号を発振する低速の回路（消費電力小の回路）とを考えた場合、ドットクロックの必要のない非走査期間（非リフレッシュ期間）では消費電力の大きい高速の回路を停止させるようにすれば、リフレッシュ期間と非リフレッシュ期間の平均消費電力を低減させることができるので、図１に示す構成の表示装置に限定されず、以下の各実施の形態に示す構成の表示装置であってもよい。
【００６３】
〔実施の形態２〕
本発明の他の実施の形態について説明すれば、以下の通りである。なお、本実施の形態においても、前記実施の形態１と同様に、休止駆動法を適用したアクティブマトリクス型の表示装置について説明する。従って、前記実施の形態１の表示装置と同じ機能を有する部材には、同一符号を付記し、その説明は省略する。
【００６４】
本実施の形態にかかる表示装置は、前記実施の形態１の図１に示す表示装置の水平同期発振回路７とＶカウンタ８の代わりにそれぞれ、図４に示すように、中速ＰＬＬ回路（出力タイミングクロック生成回路）１０と垂直同期発振回路（スタートタイミングクロック生成回路）１１を有した構成となっている。
【００６５】
上記垂直同期発振回路１１は、自ら発振し、垂直同期系信号（スタートタイミングクロック）を生成する回路であり、生成した垂直同期系信号を、走査線駆動回路３、休止制御回路９、中速ＰＬＬ回路１０に供給するようになっている。上記走査線駆動回路３、休止制御回路９は、前記実施の形態１と同じであるので詳細な説明は省略する。
【００６６】
上記中速ＰＬＬ回路１０は、ＤＣＫ−ＰＬＬ回路６内のＰＬＬ回路よりも低速のＰＬＬ回路であり、垂直同期発振回路１１からの垂直同期系信号から水平同期系信号（出力タイミングクロック）を生成するようになっている。この水平同期系信号は、信号線駆動回路２およびＤＣＫ−ＰＬＬ回路６に転送される。
【００６７】
上記水平同期系信号は、上記信号線駆動回路２においては、水平同期信号Ｈsyncとして使用され、上記ＤＣＫ−ＰＬＬ回路６においては、内部のＰＬＬ回路にて高速化されてドットクロックとなる。
【００６８】
ここで、図４に示す表示装置において、休止制御回路９は、信号線駆動回路２、走査線駆動回路３、アナログ回路５の駆動系回路とＤＣＫ−ＰＬＬ回路６の他に、中速ＰＬＬ回路１０の駆動停止も制御するようになっている。
【００６９】
上記休止制御回路９は、垂直同期発振回路１１からの垂直同期系信号に基づいて、駆動制御信号Ｓcanを生成するようになっている。上記の駆動系回路とＤＣＫ−ＰＬＬ回路６と中速ＰＬＬ回路１０とは、駆動制御信号Ｓcanがハイレベルのとき駆動状態となり、ローレベルのとき停止状態となるように制御される。
【００７０】
従って、上記構成の表示装置では、図５に示すように、駆動制御信号Ｓcanがハイレベルのときには、ドットクロックＤＣＫと水平同期信号Ｈsyncとが発振され、駆動制御信号Ｓcanがローレベルのときには、ドットクロックＤＣＫと水平同期信号Ｈsyncとが発振されない、つまりＤＣＫ−ＰＬＬ回路６と中速ＰＬＬ回路１０が駆動停止状態となる。
【００７１】
これにより、駆動制御信号Ｓcanがローレベルのとき、すなわち非リフレッシュ期間には、駆動系回路、ＤＣＫ−ＰＬＬ回路６の他に、水平同期系信号を発振する中速ＰＬＬ回路１０を駆動停止状態とさせることができるので、前記実施の形態１に比べて、非リフレッシュ期間における消費電力をさらに低減させることが可能となる。
【００７２】
〔実施の形態３〕
本発明のさらに他の実施の形態について説明すれば、以下の通りである。なお、本実施の形態においても、前記実施の形態２と同様に、休止駆動法を適用したアクティブマトリクス型の表示装置について説明する。従って、前記実施の形態２の表示装置と同じ機能を有する部材には、同一符号を付記し、その説明は省略する。
【００７３】
本実施の形態にかかる表示装置は、前記実施の形態２の図４に示す表示装置の休止制御回路９と垂直同期発振回路１１の代わりにそれぞれ、図６に示すように、休止周期発振回路（駆動制御回路）１２と低速ＰＬＬ回路（スタートタイミングクロック生成回路）１３を有した構成となっている。
【００７４】
上記休止周期発振回路１２は、自ら発振し、駆動制御信号Ｓcanを生成し、生成した駆動制御信号Ｓcanを駆動系回路である信号線駆動回路２、走査線駆動回路３、アナログ回路５に供給すると共に、ＤＣＫ−ＰＬＬ回路６、中速ＰＬＬ回路１０、低速ＰＬＬ回路１３に供給する。ここで、駆動系回路、ＤＣＫ−ＰＬＬ回路６、中速ＰＬＬ回路１０は、前記実施の形態２と同様に、駆動制御信号Ｓcanが供給されることで、駆動停止が制御される。
【００７５】
上記低速ＰＬＬ回路１３は、上記中速ＰＬＬ回路１０よりも低速なＰＬＬ回路であり、供給される駆動制御信号Ｓcanから垂直同期系信号（スタートタイミングクロック）を生成するようになっている。
【００７６】
上記低速ＰＬＬ回路１３にて生成された垂直同期系信号は、走査線駆動回路３と中速ＰＬＬ回路１０に供給される。上記垂直同期系信号は、走査線駆動回路３において、垂直同期信号Ｖsyncとして使用され、中速ＰＬＬ回路１０において、水平同期系信号を生成するために使用される。
【００７７】
ここで、図６に示す表示装置において、休止周期発振回路１２は、信号線駆動回路２、走査線駆動回路３、アナログ回路５の駆動系回路とＤＣＫ−ＰＬＬ回路６、中速ＰＬＬ回路１０の他に、低速ＰＬＬ回路１３の駆動停止も制御するようになっている。
【００７８】
上記駆動系回路、ＤＣＫ−ＰＬＬ回路６、中速ＰＬＬ回路１０、低速ＰＬＬ回路１３は、休止周期発振回路１２から発振される駆動制御信号Ｓcanが、ハイレベルのとき駆動状態となり、ローレベルのとき停止状態となるように制御される。
【００７９】
従って、上記構成の表示装置では、図７に示すように、駆動制御信号Ｓcanがハイレベルのときには、ドットクロックＤＣＫ、水平同期信号Ｈsync、垂直同期信号Ｖsyncが発振され、駆動制御信号Ｓcanがローレベルのときには、ドットクロックＤＣＫ、水平同期信号Ｈsync、垂直同期信号Ｖsyncが発振されない、つまりＤＣＫ−ＰＬＬ回路６、中速ＰＬＬ回路１０、休止周期発振回路１２が駆動停止状態となる。
【００８０】
これにより、駆動制御信号Ｓcanがローレベルのとき、すなわち非リフレッシュ期間には、駆動系回路、ＤＣＫ−ＰＬＬ回路６、中速ＰＬＬ回路１０の他に、垂直同期系信号を発振する低速ＰＬＬ回路１３を駆動停止状態とさせることができるので、前記実施の形態２に比べて、非リフレッシュ期間における消費電力をさらに低減させることが可能となる。
【００８１】
前記の各実施の形態では、何れもＤＣＫ−ＰＬＬ回路６において、ＰＬＬ回路にて低速のクロックを高速のドットクロックに変換するようになっている。このような場合、機器によっては、高頻度に動作、停止を繰り返すため、ＰＬＬ回路の設計が難しくなったり、あるいは設計できたとしても動作が不安定になったりといった問題が生じる虞がある。そこで、これら不具合を解消する表示装置について、以下の実施の形態４において説明する。
【００８２】
〔実施の形態４〕
本発明のさらに他の実施の形態について説明すれば、以下の通りである。なお、本実施の形態においても、前記実施の形態１と同様に、休止駆動法を適用したアクティブマトリクス型の表示装置について説明する。従って、前記実施の形態１の表示装置と同じ機能を有する部材には、同一符号を付記し、その説明は省略する。
【００８３】
本実施の形態にかかる表示装置は、前記実施の形態１の図１に示す表示装置のＤＣＫ−ＰＬＬ回路６と水平同期発振回路７の代わりにそれぞれ、図８に示すように、ＤＣＫ発振回路（クロック信号生成回路）１４と水平周期発振回路（出力タイミングクロック生成回路）１５を有した構成となっている。
【００８４】
上記ＤＣＫ発振回路１４は、図１に示すＤＣＫ−ＰＬＬ回路６からＰＬＬ回路を除いた回路であり、自ら発振して、ドットクロックを生成するようになっている。従って、高速駆動系のＤＣＫ発振回路１４は、外部からの信号を供給するようになっておらず、独立した回路となっている。
【００８５】
また、上記水平周期発振回路１５は、図１に示す水平同期発振回路７とは異なり、自ら発振して、水平同期系信号（出力タイミングクロック）を生成するようになっている。この水平同期系信号は、信号線駆動回路２、走査線駆動回路３の他に、Ｖカウンタ８にも供給されるようになっている。
【００８６】
上記Ｖカウンタ８では、供給された水平同期系信号から垂直同期系信号を生成し、走査線駆動回路３および休止制御回路９に供給するようになっている。
【００８７】
上記垂直同期系信号は、上記走査線駆動回路３において、走査スタートのタイミングを制御するのに使用され、休止制御回路９において、駆動制御信号Ｓcanを生成するのに使用される。
【００８８】
ここで、図８に示す表示装置において、休止制御回路９は、垂直同期系信号から、走査期間（リフレッシュ期間）がハイレベルとなり、非走査期間（非リフレッシュ期間）がローレベルとなる駆動制御信号を生成し、信号線駆動回路２、走査線駆動回路３、アナログ回路５の駆動系回路と、上記ＤＣＫ発振回路１４との駆動停止の制御を行うようになっている。
【００８９】
つまり、信号線駆動回路２、走査線駆動回路３、アナログ回路５の駆動系回路と、ＤＣＫ発振回路１４は、駆動制御信号がハイレベルのとき駆動し、駆動制御信号がローレベルのとき停止するように制御されることになる。
【００９０】
従って、上記構成の表示装置によれば、図９に示すように、ＤＣＫ発振回路１４で生成されるドットクロックＤＣＫは、休止制御回路９で生成される駆動制御信号Ｓcanがハイレベルのときのみ生成される。
【００９１】
図９に示すように、非走査期間である非リフレッシュ期間では、消費電力の高いＤＣＫ発振回路１４を停止させることができるので、リフレッシュ期間と非リフレッシュ期間とにおける平均消費電力を大幅に低減できる。
【００９２】
しかも、ＤＣＫ発振回路１４は、自ら発振して、ドットクロックを生成するようになっているので、低速なクロックを高速なクロックに変換するためのＰＬＬ回路を必要としない。これにより、ＤＣＫ発振回路１４の設計を簡単化し、しかも、クロックの速度変換に伴う不安定さを無くすことができるので、簡素な構成で安定化されたＤＣＫ発振回路１４を提供することが可能となる。
【００９３】
従って、図８に示す表示装置によれば、消費電力の低減化と装置の安定化の両立を図ることができる。
【００９４】
以上の実施の形態１ないし４においては、アクティブマトリクスパネル１について特に限定していないが、本発明は、アモルファスシリコン、ポリシリコン、ＣＧＳなどのアクティブマトリクスパネルを使用することが可能である。
【００９５】
アモルファスシリコンを用いたアクティブマトリクスパネルでは、は１水平ラインごとにパネルに映像信号を書き込む線順次駆動が行なわれるのに対して、ポリシリコンやＣＧＳを用いたアクティブマトリクスパネルでは、ドット毎に映像信号を書き込む点順次駆動が行なわれる場合がある。
【００９６】
この場合、ドットクロック以外にも点順次用のタイミングクロックも高速クロックの部類に入るので、点順次用のタイミングクロックを生成する回路も、ＤＣＫ−ＰＬＬ回路６等と同様に高速系回路に属する。このため、休止期間に、この点順次用のタイミングクロックを生成する回路も停止させる必要がある。
【００９７】
また、アクティブマトリクスパネル１の画素走査方法についても、特に限定していないが、本発明は、線順次走査駆動、点順次走査駆動等の画素走査方法を使用することが可能である。
【００９８】
さらに、上記の各実施の形態では、アクティブマトリクスパネル１を構成する画素として、液晶表示素子について説明したが、これに限定されるものではなく、例えば、アクティブマトリクスパネル１を構成する画素として、液晶表示素子の他に、印加された電圧を保持するホールド型の表示素子であれば、何れも、本願発明を適用することができる。
【００９９】
また、本発明は、アクティブマトリクス型の表示装置全般に有効な技術であるので、本発明の表示装置は、液晶に限らず、例えば、有機ＥＬやその他のアクティブマトリクス型の表示装置であっても適用可能である。
【０１００】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１０１】
本発明は、アクティブマトリクス型の表示装置全般に有効な技術であるので、本発明の表示装置は、液晶に限らず、例えば、有機ＥＬやその他のアクティブマトリクス型の表示装置に利用することができる。
【符号の説明】
【０１０２】
１  アクティブマトリクスパネル（表示部）
２  信号線駆動回路（駆動回路）
３  走査線駆動回路（駆動回路）
４  フレームメモリ
５  アナログ回路（駆動回路）
６  ＤＣＫ−ＰＬＬ回路（クロック信号生成回路）
７  水平同期発振回路（出力タイミングクロック生成回路）
８  Ｖカウンタ（スタートタイミングクロック生成回路）
９  休止制御回路（駆動制御回路）
１０  中速ＰＬＬ回路（出力タイミングクロック生成回路）
１１  垂直同期発振回路（スタートタイミングクロック生成回路）
１２  休止周期発振回路（駆動制御回路）
１３  低速ＰＬＬ回路（スタートタイミングクロック生成回路）
１４  ＤＣＫ発振回路（クロック信号生成回路）
１５  水平周期発振回路（出力タイミングクロック生成回路）
ＤＣＫ  ドットクロック
Ｈsync  水平同期信号
Ｓcan  駆動制御信号
Ｖsync  垂直同期信号
【図１】
0005542611.tif 000002
【図２】
0005542611.tif 000003
【図３】
0005542611.tif 000004
【図４】
0005542611.tif 000005
【図５】
0005542611.tif 000006
【図６】
0005542611.tif 000007
【図７】
0005542611.tif 000008
【図８】
0005542611.tif 000009
【図９】
0005542611.tif 000010
【図１０】
0005542611.tif 000011
【図１１】
0005542611.tif 000012
【図１２】
0005542611.tif 000013
【図１３】
0005542611.tif 000014
【図１４】
0005542611.tif 000015
【図１５】
0005542611.tif 000016
【図１６】
0005542611.tif 000017